(57)【要約】【課題】  効率的な検査予約受付業務を行うことができる医療診療所における検査予約システムを提供する。【解決手段】  高度医療検査機器１０の各々に関連付けて、特定の高度医療検査機器を単発的に予約する第１の予約カテゴリーと、高度医療検査機器の複数を連続的に使用する検査コースを予約する第２の予約カテゴリーとの双方に対して共用的に設定された個別予約受付枠１００に対し、使用予約情報の入力を受け付ける予約入力手段２０を設ける。予約入力手段２０は、第１の予約カテゴリーに対しては予約取得状況並びに受付空き枠を少なくとも１日の時間単位で表示する個別予約表示手段３１にアクセスさせ、第２の予約カテゴリーに対しては検査コースに対するコース空き枠情報を複数の日単位で表示するコース予約表示手段３２にアクセスさせる選別手段２２を備える。【選択図】      図１
2006235925.tif 000002
【特許請求の範囲】
【請求項１】
複数の高度医療検査機器を備える医療診療所における検査予約受付システムであって、
前記高度医療検査機器の各々に関連付けて、特定の高度医療検査機器を単発的に予約する第１の予約カテゴリーと、高度医療検査機器の複数を連続的に使用する検査コースを予約する第２の予約カテゴリーとの双方に対して共用的に設定された個別予約受付枠に対し、使用予約情報の入力を受け付ける予約入力手段と、
前記個別予約受付枠における予約取得状況並びに受付空き枠を少なくとも１日の時間単位で、高度医療検査機器の各々に関連付けて表示する個別予約表示手段と、
前記個別予約受付枠の受付空き枠情報に基づいて生成され、複数の高度医療検査機器を使用する前記検査コースに対するコース空き枠情報を、複数の日単位で表示するコース予約表示手段とを備え、
前記予約入力手段は、前記第１の予約カテゴリーに対しては前記個別予約表示手段にアクセスさせ、前記第２の予約カテゴリーに対しては前記コース予約表示手段にアクセスさせる選別手段を備えている
ことを特徴とする医療診療所における検査予約受付システム。
【請求項２】
予約入力手段は、選別手段によりコース予約表示手段が選別された場合において、
コース予約表示手段に表示されたコース空き枠情報に基づいて検査日の仮予約入力を受け付け、
次いで前記仮予約入力にかかる検査日における高度医療検査機器の各々の個別予約表示手段に表示された空き枠情報に基づいて、個別予約受付枠に対する使用予約情報の入力を受け付けるものであることを特徴とする請求項１記載の医療診療所における検査予約受付システム。
【請求項３】
第２の予約カテゴリーにおける検査コースに複数のコースメニューが設定されている場合において、それぞれの検査コースにおいて使用される高度医療検査機器の種別を前記コースメニューに関連付けて記憶するコースメニュー記憶手段を備え、
コース予約表示手段は、特定の検査コースが選定された場合において、前記コースメニュー記憶手段から当該検査コースで使用される高度医療検査機器が備える個別予約受付枠の受付空き枠情報に基づいて、当該検査コースにかかるコース空き枠情報を表示することを特徴とする請求項１記載の医療診療所における検査予約受付システム。
【請求項４】
被検査者の属性情報を記憶する属性情報記憶部を備え、
予約入力手段は、使用予約情報の入力の際に、前記属性情報記憶部から当該被検査者の属性情報を抽出して、前記使用予約情報に属性情報を関連付けた入力が可能とされていることを特徴とする請求項１記載の医療診療所における検査予約受付システム。
【請求項５】
複数の高度医療検査機器を備える医療診療所における検査予約受付方法であって、
前記高度医療検査機器の各々について、特定の高度医療検査機器を単発的に予約する第１の予約カテゴリーと、高度医療検査機器の複数を連続的に使用する検査コースを予約する第２の予約カテゴリーとの双方に対して共用的に設定された個別予約受付枠を設け、
予約入力手段により前記個別予約受付枠に使用予約情報を入力するに際し、
前記第１の予約カテゴリーに対しては、前記個別予約受付枠における予約取得状況並びに受付空き枠を少なくとも１日の時間単位で、高度医療検査機器の各々に関連付けて表示させ、
前記第２の予約カテゴリーに対しては、前記個別予約受付枠の受付空き枠情報に基づいて作成された前記検査コースに対するコース空き枠情報を、複数の日単位で表示させることを特徴とする医療診療所における検査予約受付方法。
【発明の詳細な説明】
【技術分野】
【０００１】
本発明は、複数の高度医療検査機器を備えた医療診療所において、前記高度医療検査機器を用いた検査の予約受付業務を効率的に遂行させるようにする医療診療所における検査予約受付システム及び検査予約受付方法に関するものである。
【背景技術】
【０００２】
近年、Ｘ線ＣＴ（X-ray Computed Tomography；Ｘ線コンピュータ断層撮影法）、ＭＲＩ（ Magnetic Resonance Imaging；磁気共鳴断層撮影法）、ＰＥＴ（Positron Emission Tomography；ポジトロン断層撮影法）などの撮影手法を用いた高度医療検査機器（画像診断機器）を複数備え、各種の画像診断を行う医療診療所が設立されている。このような医療診療所においては、健診や人間ドック等の受診者を自ら受け入れる一方で、充実した高度医療検査機器を保有していることから、他の提携医療機関からの依頼検査業務を請け負うという業務形態を取る場合がある。かかる業務形態を実行する場合、複数の高度医療検査機器を効率的に運用し、また、なるべく多くの受診者が希望日に検査を受けることができるよう、予約受付システムを充実させることが肝要となる。
【０００３】
ところで、受診者が上記のような医療診療所で検査を受ける類型としては、提携医療機関からの依頼検査のように高度医療検査機器を単発的に使用するケースと、人間ドックや集団健診のように、血液検査や問診等を含む一連の検査フローの中で高度医療検査機器の複数を連続的に使用するケースとがある。前者のケースにおいては、専ら各々の高度医療検査機器に空き枠があれば、その空き枠に検査予約を割り入れて行けば良い（本明細書では、これを「第１の予約カテゴリー」という）。一方後者のケースにおいては、例えば人間ドックの場合、受診者が希望する検査コースを実施するために必要な複数の高度医療検査機器が、１日乃至は２日のコース日程内で確保できるかを重視して予約を割り入れて行く必要がある（本明細書では、これを「第２の予約カテゴリー」という）。
【０００４】
従来、例えば特許文献１に開示されているように、インターネット等を介して医療診療所が備える高度医療検査機器に対して検査予約を受け付けるシステムは提案されているが、前記第１の予約カテゴリー及び第２の予約カテゴリーを意識し、それぞれの予約カテゴリーにマッチした効率的な予約受付システムは未だ提案されていないのが実情である。
【特許文献１】特開２００３−２８１２６８号公報
【発明の開示】
【発明が解決しようとする課題】
【０００５】
本発明は上記の事情に鑑みてなされたもので、第１の予約カテゴリー及び第２の予約カテゴリーのそれぞれに応じて、効率的な検査予約受付業務を行うことができる医療診療所における検査予約受付システム及び検査予約受付方法を提供することを目的とする。
【課題を解決するための手段】
【０００６】
本発明の請求項１にかかる医療診療所における検査予約受付システムは、複数の高度医療検査機器を備える医療診療所における検査予約受付システムであって、前記高度医療検査機器の各々に関連付けて、特定の高度医療検査機器を単発的に予約する第１の予約カテゴリーと、高度医療検査機器の複数を連続的に使用する検査コースを予約する第２の予約カテゴリーとの双方に対して共用的に設定された個別予約受付枠に対し、使用予約情報の入力を受け付ける予約入力手段と、前記個別予約受付枠における予約取得状況並びに受付空き枠を少なくとも１日の時間単位で、高度医療検査機器の各々に関連付けて表示する個別予約表示手段と、前記個別予約受付枠の受付空き枠情報に基づいて生成され、複数の高度医療検査機器を使用する前記検査コースに対するコース空き枠情報を、複数の日単位で表示するコース予約表示手段とを備え、前記予約入力手段は、前記第１の予約カテゴリーに対しては前記個別予約表示手段にアクセスさせ、前記第２の予約カテゴリーに対しては前記コース予約表示手段にアクセスさせる選別手段を備えていることを特徴とする。
【０００７】
この構成によれば、選別手段によって、第１の予約カテゴリーに対しては個別予約表示手段にアクセスされ、各高度医療検査機器の個別予約受付枠における予約取得状況並びに受付空き枠が、少なくとも１日の時間単位で表示されることになる。一方、第２の予約カテゴリーに対してはコース予約表示手段にアクセスされ、複数の高度医療検査機器を使用する前記検査コースに対するコース空き枠情報が、複数の日単位、例えば週単位で表示されることになる。従って、個別予約受付枠は第１、第２の予約カテゴリーで共用されているものの、夫々の予約カテゴリーに応じた表示が得られ、予約業務の便宜性を向上させることができる。
【０００８】
上記請求項１の構成において、予約入力手段は、選別手段によりコース予約表示手段が選別された場合において、コース予約表示手段に表示されたコース空き枠情報に基づいて検査日の仮予約入力を受け付け、次いで前記仮予約入力にかかる検査日における高度医療検査機器の各々の個別予約表示手段に表示された空き枠情報に基づいて、個別予約受付枠に対する使用予約情報の入力を受け付けるよう構成することができる（請求項２）。この構成によれば、第２の予約カテゴリーにおいて、コース空き枠情報に基づき、所定の検査コースに関し受診者１名が割り当て可能な場合は先ず検査日の仮押さえをし、その後当該検査日における個々の高度医療検査機器の具体的な予約が確定される。
【０００９】
また、上記請求項１の構成において、第２の予約カテゴリーにおける検査コースに複数のコースメニューが設定されている場合において、それぞれの検査コースにおいて使用される高度医療検査機器の種別を前記コースメニューに関連付けて記憶するコースメニュー記憶手段を備え、コース予約表示手段は、特定の検査コースが選定された場合において、前記コースメニュー記憶手段から当該検査コースで使用される高度医療検査機器が備える個別予約受付枠の受付空き枠情報に基づいて、当該検査コースにかかるコース空き枠情報を表示するよう構成することができる（請求項３）。この構成によれば、コースメニュー記憶手段に記憶されている情報に基づいて、例えば人間ドックに複数の検査コースが設定されている場合において、それぞれの人間ドックコースに応じたコース空き枠情報を、前記コース予約表示手段にて表示させることができるようになる。
【００１０】
さらに、上記請求項１の構成において、被検査者の属性情報を記憶する属性情報記憶部を備え、予約入力手段は、使用予約情報の入力の際に、前記属性情報記憶部から当該被検査者の属性情報を抽出して、前記使用予約情報に属性情報を関連付けた入力が可能とされるよう構成することができる（請求項４）。この構成によれば、被検査者の属性情報を、使用予約情報とセットで出力、画像表示等をさせることが可能となる。
【００１１】
本発明の請求項５にかかる医療診療所における検査予約受付方法は、複数の高度医療検査機器を備える医療診療所における検査予約受付方法であって、前記高度医療検査機器の各々について、特定の高度医療検査機器を単発的に予約する第１の予約カテゴリーと、高度医療検査機器の複数を連続的に使用する検査コースを予約する第２の予約カテゴリーとの双方に対して共用的に設定された個別予約受付枠を設け、予約入力手段により前記個別予約受付枠に使用予約情報を入力するに際し、前記第１の予約カテゴリーに対しては、前記個別予約受付枠における予約取得状況並びに受付空き枠を少なくとも１日の時間単位で、高度医療検査機器の各々に関連付けて表示させ、前記第２の予約カテゴリーに対しては、前記個別予約受付枠の受付空き枠情報に基づいて作成された前記検査コースに対するコース空き枠情報を、複数の日単位で表示させることを特徴とする。
【発明の効果】
【００１２】
請求項１によれば、第１の予約カテゴリーに対しては個別予約表示手段にアクセスされ、各高度医療検査機器の個別予約受付枠における予約取得状況並びに受付空き枠が少なくとも１日の時間単位で表示されるので、必要な高度医療検査機器に空き枠が確認できれば、当該空き枠に検査予約を割り入れて行くことができる。一方、第２の予約カテゴリーに対してはコース予約表示手段にアクセスされ、複数の高度医療検査機器を使用する前記検査コースに対するコース空き枠情報が、複数の日単位、例えば週単位で表示されるので、受診者が希望する「日」を重視して検査予約を割り入れて行くことができる。従って、夫々の予約カテゴリーに応じた表示が得られ、予約業務の便宜性が向上し、検査予約の申し入れに対して迅速に対応することができるという効果を奏する。また、各高度医療検査機器の個別予約受付枠は第１、第２の予約カテゴリーで共用されているため、管理体制が複雑化することもないという利点もある。
【００１３】
請求項２によれば、第２の予約カテゴリーにおいて、コース空き枠情報に基づき、所定の検査コースに関し受診者１名が割り当て可能な場合は先ず検査日の仮押さえをし、その後当該検査日における個々の高度医療検査機器の具体的な予約が確定されるので、第２の予約カテゴリーに対し検査予約業務を効率的に処理することができる。
【００１４】
請求項３によれば、コースメニュー記憶手段に記憶されている情報に基づいて、該当するコース空き枠情報をコース予約表示手段にて表示させることができるので、多様な検査コースが設定されていたとしても、それら検査コースに対応したコース空き枠情報を直ちにコース予約表示手段に表示させることが可能となり、一層の検査予約業務の効率化を図ることができる。
【００１５】
請求項４によれば、被検査者の属性情報を、使用予約情報とセットで出力、画像表示等をさせることが可能となるので、実際の検査の際に前記属性情報を供用したり、或いは会員登録しているような特定の受診者については、自動的に検査コースを読み出してコース予約を行ったりすることができるようになる。
【００１６】
請求項５によれば、夫々の予約カテゴリーに応じた表示が得られ、予約業務の便宜性が向上し、検査予約の申し入れに対して迅速に対応することができるという効果を奏する。また、各高度医療検査機器の個別予約受付枠は第１、第２の予約カテゴリーで共用されているため、管理体制が複雑化することもないという利点もある。
【発明を実施するための最良の形態】
【００１７】
以下、図面に基づいて、本発明の一実施形態につき詳細に説明する。
図１は、本発明にかかる医療診療所における検査予約受付システム１の全体構成を示すブロック図である。この検査予約受付システム１は、個別予約受付枠１００をそれぞれ有する高度医療検査機器１０、予約入力手段２０、表示手段３０及びメモリ部４０を備えて構成されている。当該検査予約受付システム１は、キーボート等の入力部と、ディスプレイ等の表示部と、演算部及びメモリ部とを備えるパーソナルコンピュータやコンピュータシステム等で構築することができる。
【００１８】
本実施形態では高度医療検査機器１０として、ＭＲＩ検査装置１１、ＣＴ検査装置１２及びＰＥＴ検査装置１３を例示している。これらは図示簡略化のため単数台で表示しているが、それぞれの種別の検査装置が複数台備えられていても良い。これら検査装置の他、連続Ｘ線血管撮影装置（ＤＳＡ）や放射性同位元素画像診断装置（ＲＩ）などの検査装置も、高度医療検査機器１０のラインナップに追加することができる。
【００１９】
上記ＭＲＩ検査装置１１、ＣＴ検査装置１２及びＰＥＴ検査装置１３は、これら装置の各々に関連付けて設定された個別予約受付枠１０１、１０２、１０３を備えている。これら個別予約受付枠１０１、１０２、１０３は、例えばそれぞれの高度医療検査機器１０に管理アドレス番号を付与し、該管理アドレス番号に関連付けてコンピュータ上で管理される受付枠である。なお当該個別予約受付枠１０１、１０２、１０３は、第１の予約カテゴリー及び第２の予約カテゴリーについて別々に設定されているのではなく、双方に対して共用的に設定されている。
【００２０】
入力手段２０は、例えばキーボード装置やマウス装置等からなり、予約入力部２１と、選別手段２２と、管理情報入力部２３とから構成されている。予約入力部２１は、前記個別予約受付枠１０１、１０２、１０３に対して、それぞれの検査装置の使用時間や受診者名等を入力するためのものである。選別手段２２は、第１の予約カテゴリーに対しては後述の表示手段３０が備える個別予約表示手段３１にアクセスさせ、第２の予約カテゴリーに対してはコース予約表示手段３２にアクセスさせる。この選別手段２２は、例えばコンピュータ端末機のディスプレイ上に表示されたアイコンを、前記マウス装置で操作されるカーソルで選択させる形式とすることが好ましい。管理情報入力部２３は、受診者や会員情報などの属性情報や、検査後に判明した検査結果、検査条件などの画像検査情報等を入力するためのものである。
【００２１】
表示手段３０は、例えばコンピュータ端末機のディスプレイ等からなり、個別予約表示手段３１、コース予約表示手段３２及び診療予約表示手段３３を備えている。個別予約表示手段３１は、前記個別予約受付枠１０１、１０２、１０３における予約取得状況並びに受付空き枠を少なくとも１日の時間単位で、ＭＲＩ検査装置１１、ＣＴ検査装置１２及びＰＥＴ検査装置１３の各々に関連付けてディスプレイ上に表示する。個別予約表示手段３１による表示態様としては、例えば後述の図５に示すように、時間軸上に検査装置毎の予約情報表示フレームをマトリクス表示するものを採用することができる。なお、該個別予約表示手段３１によるディスプレイ上の表示画面が、前記予約入力部２１による予約入力の際の入力画面、つまり個別予約受付枠１０１、１０２、１０３の表示画面を兼用するように構成することが望ましい。
【００２２】
コース予約表示手段３２は、前記個別予約受付枠１０１、１０２、１０３の受付空き枠情報に基づいて生成され、複数の高度医療検査機器１０を使用する検査コースに対するコース空き枠情報を、複数の日単位、例えば週単位又は月で表示する。コース予約表示手段３２による表示態様としては、例えば後述の図４に示すように、曜日の軸上に午前、午後毎の予約情報表示フレームをマトリクス表示するものを採用することができる。なお、人間ドック等において、多様な検査コースが設定されている場合は、各々の検査コースに応じてコース空き枠情報を表示させることが好ましい。この場合、各々の検査コースで用いられる検査装置の個別予約受付枠１０１、１０２、１０３に対する予約受付状況（受付空き枠情報）に応じて、検査コース毎に異なるコース空き枠情報ファイルが生成されるよう構成すれば良い。
【００２３】
診療予約表示手段３３は、前記予約入力部２１にて入力された、ドクターによる診療の予約受付状況を、１日単位若しくは週単位で表示する。診療予約表示手段３３による表示態様としては、例えば時間軸上にドクター毎の予約情報表示フレームをマトリクス表示するものを採用することができる。
【００２４】
メモリ部４０は、属性情報記憶部４１、検査情報記憶部４２、コースメニュー記憶部４３及び予約情報記憶部４４を備えている。属性情報記憶部４１は、前記管理情報入力部２３から入力される受診者の属性情報が記憶される。この属性情報は、受信者の氏名、住所、電話番号、年齢、生年月日、受信者ＩＤ番号及び会員番号（会員登録者の場合）などであり、これらの情報は初診時若しくは会員登録時に入力され、属性情報記憶部４１に格納される。
【００２５】
検査情報記憶部４２には、高度医療検査機器１０による検査条件や検査結果等が格納される。具体的には、上記ＭＲＩ検査装置１１、ＣＴ検査装置１２及びＰＥＴ検査装置１３のそれぞれについて、検査時の各種条件（例えばＣＴ検査装置１２の場合は、検査部位、造影剤の種類、フィルム種、管電圧等の撮影条件）、受信者のプロファイル、受診により得られた検査結果や所見、さらには当該受診者が受診した検査コース種別などが格納される。
【００２６】
コースメニュー記憶部４３には、人間ドック等の検査コース種別と、該検査コースにおける検査メニューの詳細並びに該検査コースにおいて使用される高度医療検査機器１０の種類が記憶される。例えば人間ドックに「２日コース」、「１日コース」、「半日コース」などの検査コースが設定されている場合に、各検査コースにおいてどの高度医療検査機器１０が使用されるかが、検査コース種別に関連付けて記憶される。そして、このコースメニュー記憶部４３に記憶されている情報に基づいて、前記コース予約表示手段３２においてコース空き枠情報を表示する際の、検査コース毎の空き枠情報ファイルが生成される。つまり、予約受付のときに特定の検査コースがリクエストされた場合、そのリクエスト検査コースにおいて使用される高度医療検査機器１０がコースメニュー記憶部４３から呼び出され、そこで使用される高度医療検査機器１０の個別予約受付枠１００に対する予約受付状況に基づき、前記リクエスト検査コースに応じた曜日単位のコース空き枠情報ファイルが生成されるものである。
【００２７】
予約情報記憶部４４には、予約受付時おいて前記予約入力部２１から与えられる各種の検査予約情報が格納される。具体的には、受診日、予約カテゴリーの種別、依頼検査の場合はその依頼先、検査コースの種別及び高度医療検査機器１０の使用時間帯などが格納される。なお、高度医療検査機器１０の使用時間帯等については、個別予約受付枠１００に対して入力された情報がそのまま格納される。
【００２８】
次に、以上の通り構成された本発明の検査予約受付システム１の動作について説明する。図２は、該検査予約受付システム１における予約業務のフローの一例を示すフローチャートである。
【００２９】
検査予約の申し入れがあった場合、予約入力部２１にて該検査予約受付システム１に対するログイン操作が実行され、表示手段３０に該検査予約受付システム１のメイン画面となる予約状況カレンダーが表示される（ステップＳ１１）。図３は、このようなメイン画面５０の一例を示している。このメイン画面５０は、月単位で第１の予約カテゴリー及び第２の予約カテゴリーについての予約状況等、つまり提携医療機関からの検査予約及び人間ドック等の健診予約についての予約状況等を一覧表示するものである。このメイン画面５０は、年月表示部５０１、第２の予約カテゴリーに対応する健診予約業務を実行する際の導入部となる健診予約導入表示部５０２、第１の予約カテゴリーに対応する検査予約業務を実行する際の導入部となる検査予約導入表示部５０３、及び各々の予約管理画面へのショートカットアイコンを表示するアイコン表示部５０４を備えている。
【００３０】
年月表示部５０１は、該メイン画面５０においてカレンダー表示されている年月が表示される。当該年月表示の両サイドに配置されている矢印アイコンを選択（例えばマウスによるアイコンのクリック操作）することで、次月の予約状況を示す予約状況カレンダーが表示される。
【００３１】
健診予約導入表示部５０２及び検査予約導入表示部５０３は、第１の予約カテゴリーに対しては個別予約表示手段３１にアクセスさせ、第２の予約カテゴリーに対してはコース予約表示手段３２にアクセスさせる選別手段２２としての機能を果たしている。健診予約導入表示部５０２は週単位の予約フレーム５０２Ｗを備え、該予約フレーム５０２Ｗには月の週単位を順に表す「１週」、「２週」・・・という週表示アイコン５０２１がそれぞれ配置されている。また、検査予約導入表示部５０３は一日単位の予約フレーム５０３Ｗを備え、該予約フレーム５０３Ｗには日の表示である「１」、「２」・・・という日表示アイコン５０３１がそれぞれ配置されている。そして、前記週表示アイコン５０２１のいずれかをクリックすると、該当する週について図４に示すようなコース予約表示画面（健診予約管理画面）５１が表示される（つまり、コース予約表示手段３２として機能する）。また前記日表示アイコン５０３１のいずれかをクリックすると、該当する日について図５に示すような個別予約表示画面（検査予約管理画面）５２が表示される（つまり、個別予約表示手段３１として機能する）。
【００３２】
前記予約フレーム５０３Ｗの各々には、高度医療検査機器１０の予約状況を簡易的に示す簡易予約表示部５０３２が設けられている。この実施形態における簡易予約表示部５０３２は、日表示アイコン５０３１の図中右側に配列された４個のカラー○印表示体からなっている。このカラー○印表示体は、図中左側から、ＭＲＩ検査装置１１の検査予約状況、ＣＴ検査装置１２の検査予約状況、ＰＥＴ検査装置１３の検査予約状況、及び人間ドック等の健診予約状況の４アイテムについての予約状況をそれぞれ表示するものであって、例えば各検査装置の空き状況（個別予約状況）並びに健診予約の空き状況（コース予約状況）を色別表示するものである。具体的には、緑色は「予約可能（予約なし）」、青色は「予約可能（余裕あり）」、黄色は「予約可能（残り僅か）」、赤色は「予約不能（予約満杯）」、また×印は「休診日」というように表示がなされる。
【００３３】
アイコン表示部５０４には、「健診予約管理」、「検査予約管理」、「診療予約管理」、「受診者管理」及び「基本情報管理」の５つのショートカットアイコンが設定され、それぞれをクリックすることで各管理画面へ移行するようになっている。このうち、「健診予約管理」のアイコンがクリックされると、ログインした日付を含む週の健診予約管理画面５１（図４参照）が表示される。また、「検査予約管理」のアイコンがクリックされると、ログインした日付の検査予約管理画面５２（図５参照）が表示される。
【００３４】
図２のフローチャートに戻って、以上説明したようなメイン画面５０が表示されている状態において、予約リクエストに応じて第１の予約カテゴリーか第２の予約カテゴリーかが判定される（ステップＳ１２）。つまり、第１の予約カテゴリーと第２の予約カテゴリーとが同一の検査予約受付システムで管理されており、各カテゴリーに応じた予約表示画面を選択的に表示可能とされている。この点が、従来の予約システムには無い特徴的な部分である。
【００３５】
具体的には、予約リクエストが提携医療機関からの依頼検査等である場合（第１の予約カテゴリー）、予約入力オペレータによりメイン画面５０の適宜な日表示アイコン５０３１若しくはアイコン表示部５０４の「検査予約管理」アイコンがクリックされることになる。また、予約リクエストが人間ドック等の検査コース予約である場合（第２の予約カテゴリー）、メイン画面５０の適宜な週表示アイコン５０２１若しくはアイコン表示部５０４の「健診予約管理」アイコンがクリックされることになる。つまり、日表示アイコン５０３１、週表示アイコン５０２１及びアイコン表示部５０４の各アイコンが、前述の選別手段２２として機能する。
【００３６】
ステップＳ１２で第１の予約カテゴリーの指定があった場合、メイン画面５０の簡易予約表示部５０３２において、当該依頼検査にて使用される検査装置の空き状況が確認され、空き枠がある適宜な日（空き枠がある最先日又は受診者の希望日等）の日表示アイコン５０３１がクリックされ、検査予約希望日が設定される（ステップＳ２１）。
【００３７】
ステップＳ２１で日表示アイコン５０３１がクリックされると、例えば図５に示すような、個別予約表示手段３１としての検査予約管理画面５２が表示される（ステップＳ２２）。検査予約管理画面５２は、予約日表示部５２０、予約オペータ名を表示するオペレータ表示部５２１、及び時間軸（縦軸）欄５２３上に検査装置（及び検査室）毎の予約情報表示フレーム５２２１〜５２２８をマトリクス表示したマトリクス表示部５２２を備えている。予約日表示部５２０には、クリックされた日表示アイコン５０３１に相当する日付が表示される。また、オペレータ表示部５２１には予約受付業務を行ったオペレータの氏名が表示される。さらに予約情報表示フレーム５２２１〜５２２８には、ＭＲＩ検査装置１１、ＣＴ検査装置１２及びＰＥＴ検査装置１３それぞれの個別予約受付枠１０１、１０２、１０３における予約取得状況並びに受付空き枠情報が表示される。
【００３８】
例えば予約情報表示フレーム５２２１について説明すると、該予約情報表示フレーム５２２１は「ＭＲ１．０」という管理名称が与えられているＭＲＩ検査装置１１の予約受付状況を表示するもので、例えば時刻８：４０〜９：１０の時間枠には、３名のＡコース（第２の予約カテゴリーにおける検査コース種別を表す）受診者の予約が設定されている状態を示している。また、時刻９：１０〜９：４０の時間枠には、１名の個別受診者の予約（第１の予約カテゴリーにおいて当該検査装置を単発的に使用する予約）が設定されている状態を示している。この場合、「ＭＲ１．０」という検査装置は、８：４０〜９：１０の時間枠には、人間ドックの「Ａコース」を受診する３名の受診者のために使用され、９：１０〜９：４０の時間枠には、依頼検査を受診する受診者のために使用される予約が割り当てられていることになる。
【００３９】
その他の予約情報表示フレーム５２２２〜５２２８についても、同様に時間枠別の表示フレーム毎に受診者名と予約カテゴリー種別が表示される。そして時間枠別の予約状況に応じて、各フレームの背景色が変更され、時間帯別の各検査装置の予約状況及び空き枠状況が一見して確認できるようになっている。
【００４０】
そして、予約リクエストに応じて、該当する検査装置の予約情報表示フレーム５２２１〜５２２８のうち空き枠がある時間枠をクリックし、その検査装置の前記時間枠について検査仮予約状態に移行させる（ステップＳ２３）。検査仮予約状態では、検査予約情報の詳細を入力する画面がディスプレイ上に表示される（図示省略）。ここで受診者名や予約カテゴリー種別、その他予約確定の際に必要となる所定の情報が入力され、しかる後検査予約の確定操作が実行される（ステップＳ２４）。これにより、当該検査装置についての予約が確定され、かかる予約情報は、予約情報表示フレーム５２２１〜５２２８に表示されることとなる。
【００４１】
次に、他の画像検査予約を行うか、すなわち他の予約リクエストに対応する予約設定を行うか否かが判別され（ステップＳ２５）、他の画像検査予約を行う必要がある場合（ステップＳ２５でＹｅｓ）は、ステップＳ２２に戻って同様の操作が繰り返される。一方、他の画像検査予約が不要である場合（ステップＳ２５でＮｏ）は、検査の際に必要となる所定の詳細情報（検査時間、検査部位や手技手法、患者基本情報など）が入力される（ステップＳ２６）。以上のステップにより、第１の予約カテゴリーについての予約受付業務は完了する。
【００４２】
次に、ステップＳ１２で第２の予約カテゴリーの指定があった場合、第１の予約カテゴリーのように空き時間枠に予約を単発的に割り入れて行くのではなく、受診者の受診希望日を勘案して、希望の検査コースが予約可能な日を先ず確保することが望ましい。このため、第２の予約カテゴリーの申し入れがあった場合、予約オペレータによりメイン画面５０の簡易予約表示部５０３２において健診予約の大まかな受付状況が確認され、受診者の希望に適い、且つ各検査装置（ＭＲＩ検査装置１１、ＣＴ検査装置１２及びＰＥＴ検査装置１３）に比較的空き枠が多い週の週表示アイコン５０２１がクリックされることで、検査予約希望日が仮に設定される（ステップＳ３１）。
【００４３】
ステップＳ３１で週表示アイコン５０２１がクリックされると、例えば図４に示すような、コース予約表示手段３２としての健診予約管理画面（コース予約管理画面）５１が表示される（ステップＳ３２）。コース予約管理画面５１は、予約週表示部５１０、予約オペータ名を表示するオペレータ表示部５１１、予約にかかる検査コースを表示する検査コース表示部５１２、集団健診等の予約団体名を表示する団体名表示部５１３及び曜日の軸（横軸）上に午前、午後毎の予約情報表示フレーム５１４１〜５１５７をマトリクス表示したマトリクス表示部５１４を備えている。なお、この健診予約管理画面５１には、高度医療検査機器１０の個別予約受付枠１００の空き枠状況だけでなく、人間ドック（健診）において使用される他の設備や検査技師の空き状況等も踏まえて、コース空き枠状況が表示される。
【００４４】
予約週表示部５１０には、クリックされた週表示アイコン５０２１に相当する週が表示される。また、オペレータ表示部５１１には予約受付業務を行ったオペレータの氏名が表示される。検査コース表示部５１２には、当該表示画面がどの検査コースについての空き状況を表わしているかが表示される。なお、検査コースによって使用される検査装置の種別が異なり、従ってコース空き枠状況も検査コースによって異なることになる。そこで、検査コース表示部５１２に付設されている矢印アイコンをクリックして検査コースを選別すれば、前述のコースメニュー記憶部４３に格納されている検査コース情報に基づいて、各々の検査コースに応じたコース空き枠情報が再表示されるようになっている。
【００４５】
予約情報表示フレーム５１４１〜５１４７には、月〜日の各曜日における予約取得状況並びにコース空き枠情報が表示される。例えば予約情報表示フレーム５１４１について説明すると、該予約情報表示フレーム５１４１は某月某日月曜日の、Ａコース（検査コース表示部５１２の表示参照）についての予約受付状況を表示するもので、例えば午前の時間枠には、５名の受診者の予約が設定されている状態（氏名欄の左の×印は予約キャンセルを表し、□印は空き枠を表している）を示している。また、例えば予約情報表示フレーム５１４５については、「○×株式会社」についての集団健診の予約が設定されている状態を示している。
【００４６】
このような健診予約管理画面５１を見ながら、予約オペレータは受診申込者と日程調整し、当該検査コースによる健診日を仮に決定する（ステップＳ３３）。続いて、当該検査コースが高度医療検査機器１０を用いる画像検査を含んでいるかが判別され（ステップＳ３４）、含んでいない場合、つまり画像検査予約が不要である場合（ステップＳ３４でＮｏ）、ステップＳ３９に移行して、ステップＳ３３で設定された仮の健診日での健診予約が確定される。
【００４７】
一方、画像検査予約が必要である場合（ステップＳ３４でＹｅｓ）、マトリクス表示部５１４の年月日欄のうち、前記仮予約された健診日に対応する年月日アイコンがクリックされ、その日の検査予約画面５２（図５参照）が表示される（ステップＳ３５）。そして、前記と同様にして検査予約画面５２に表示された空き枠情報に基づいて、空き枠がある予約情報フレーム５２２１〜５２２８に予約が割り入れられるのであるが、実際は検査装置をオペレイトする検査技師の空き状況や、検査コースのストリームを考慮した場合、コース空き枠は有るものの実際には予約を受け入れることが出来ない場合がある。このため、当該仮予約にかかる健診日において画像検査予約が可能か否かが判断され（ステップＳ３６）、不可である場合（ステップＳ３６でＮｏ）、前記仮予約がキャンセルされ（ステップＳ３７）、ステップＳ３１に戻って新たな健診日が設定される。
【００４８】
画像検査予約が可能である場合（ステップＳ３６でＹｅｓ）、その検査装置の前記時間枠について検査仮予約状態に移行させる（ステップＳ３８）。検査仮予約状態では、検査予約情報の詳細を入力する画面がディスプレイ上に表示される（図示省略）。ここで受診者名や予約カテゴリー種別、その他予約確定の際に必要となる所定の情報が入力され、しかる後検査予約の確定操作が実行される（ステップＳ３９）。このように、健診予約管理画面５１に表示されたコース空き枠情報に基づき、所定の検査コースに関し受診者１名が割り当て可能な場合は先ず健診日の仮押さえをし、その後当該健診日における個々の高度医療検査機器１０の具体的な予約が検査予約画面５２にて確定されるので、第２の予約カテゴリーに対し検査予約業務を効率的に処理することができる。
【００４９】
引き続いて、健診予約に関する所定の詳細情報（予約コース、オプション情報、受診者情報など）が入力される（ステップＳ４０）。さらに、検査の際に必要となる所定の詳細情報（検査時間、検査部位や手技手法、患者基本情報など）が入力される（ステップＳ４１）。以上のステップにより、第２の予約カテゴリーについての予約受付業務は完了する。
【００５０】
なお、ステップＳ４０、ステップＳ４１における予約情報入力の際、若しくは上記ステップＳ２６における予約情報入力の際に、受診者（被検査者）の属性情報を属性情報記憶部４１から抽出して、予約情報と受診者の属性情報とを関連付けて入力業務を行えるようにすることが好ましい。これにより受診者の属性情報を、予約情報とセットで出力、画像表示等をさせることが可能となるので、実際の検査の際に前記属性情報を供用したり、或いは会員登録しているような特定の受診者については、自動的に検査コースを読み出してコース予約を行ったりすることができるようになる。
【００５１】
以上説明した検査予約受付システム１によれば、第１の予約カテゴリーに対しては検査予約画面５２にアクセスされ、各高度医療検査機器１０の個別予約受付枠１００における予約取得状況並びに受付空き枠が少なくとも１日の時間単位で表示されるので、必要な高度医療検査機器１０に空き枠が確認できれば、当該空き枠に検査予約を割り入れて行くことができる。一方、第２の予約カテゴリーに対しては健診予約管理画面５１にアクセスされ、複数の高度医療検査機器１０を使用する前記検査コースに対するコース空き枠情報が、複数の日単位、例えば週単位で表示されるので、受診者が希望する「日」を重視して検査予約を割り入れて行くことができる。従って、夫々の予約カテゴリーに応じた表示が得られ、予約業務の便宜性が向上し、検査予約の申し入れに対して迅速に対応することができる。また、各高度医療検査機器１０の個別予約受付枠１００は第１、第２の予約カテゴリーで共用されているため、管理体制が複雑化することもないという利点もある。
【００５２】
以上、本発明の一実施形態につき説明したが、かかる実施形態に限定されるものではなく、例えば以下のような変形実施形態を採ることができる。
（１）個別予約表示手段３１としての検査予約管理画面５２（図５参照）として、１日の時間単位で表示させる例を示したが、例えば２日又は３日分を時間単位で一括して表示させるような検査予約管理画面５２としても良い。
（２）コース予約表示手段３２としての健診予約管理画面５１（図４参照）として、１週間単位で表示させる例を示したが、例えば２週間又は３週間単位、或いは１０日単位等で表示させるようなコース予約管理画面５１としても良い。
（３）メイン画面５０の表示態様についても種々変更可能であり、例えば簡易予約表示部５０３２について、空き枠数を数字で直接的に表示させるようにしても良い。
【図面の簡単な説明】
【００５３】
【図１】本発明にかかる医療診療所における検査予約受付システムの全体構成の一例を示すブロック図である。
【図２】上記検査予約受付システムにおける予約業務のフローの一例を示すフローチャートである。
【図３】上記検査予約受付システムのメイン画面の一例を示す平面図である。
【図４】第２の予約カテゴリーに対する健診予約管理画面（コース予約表示手段）の一例を示す平面図である。
【図５】第１の予約カテゴリーに対する検査予約管理画面（個別予約表示手段）の一例を示す平面図である。
【符号の説明】
【００５４】
１      検査予約受付システム
１０    高度医療検査機器
１１    ＭＲＩ検査装置
１２    ＣＴ検査装置
１３    ＰＥＴ検査装置
１００  個別予約受付枠
２０    予約入力手段
２１    予約入力部
２２    選別手段
２３    管理情報入力部
３０    表示手段
３１    個別予約表示手段
３２    コース予約表示手段
３３    診療予約表示手段
４０    メモリ部
４１    属性情報記憶部
４２    検査情報記憶部
４３    コースメニュー記憶部（コースメニュー記憶手段）
４４    予約情報記憶部
５０    メイン画面
５１    健診予約管理画面（コース予約表示手段）
５２    検査予約管理画面（個別予約表示手段）
【図１】
2006235925.tif 000003
【図２】
2006235925.tif 000004
【図３】
2006235925.tif 000005
【図４】
2006235925.tif 000006
【図５】
2006235925.tif 000007